(57)【要約】【課題】本発明は、ドレン水配管接続位置を器具本体前カバー側に配置し、接続高さを浴槽上縁面以下で給水、給湯、ガス、風呂往き、戻り配管接続位置より高い位置に配置することにより、配管接続を容易にし、排水勾配を確保し、中和容器を中和剤のメンテナンスがし易い位置に設置できようにすることを目的とする。  【解決手段】本発明は、壁貫通釜と、この壁貫通釜と中和容器とを接続するドレン配管と、このドレン配管によって前記壁貫通釜と接続された中和容器とを備え、前記ドレン配管の接続部が壁貫通釜の備える他の配管接続部よりも高い位置であって、前記壁貫通釜の前面に取付けられ、かつ、壁貫通釜本体に設けられたドレン配管接続部の継手が、壁貫通釜の前面からＬ字型に突出し、かつ、回転自在とされた燃焼機器である。【選択図】図４
2007170692.tif 000002
【特許請求の範囲】
【請求項１】
壁貫通釜と、この壁貫通釜と中和容器とを接続するドレン配管と、このドレン配管によって前記壁貫通釜と接続された中和容器とを備え、前記ドレン配管の接続部が壁貫通釜の備える他の配管接続部よりも高い位置にある燃焼機器。
【請求項２】
請求項１において、ドレン配管接続部が前記壁貫通釜の前面に取付けられた燃焼機器。
【請求項３】
請求項１または請求項２において、壁貫通釜本体に設けられたドレン配管接続部の継手が、壁貫通釜の前面からＬ字型に突出し、かつ、回転自在とされた燃焼機器。
【請求項４】
請求項１〜３の何れかにおいて、中和容器が浴槽に隣接する浴槽壁面に設置され、壁貫通釜からのドレン水が、浴室床面と浴槽と浴室壁とで囲まれた空間に排水される燃焼機器。
【請求項５】
請求項１〜４の何れかに記載される燃焼機器を備えた浴室ユニット。
【発明の詳細な説明】
【技術分野】
【０００１】
本発明は、潜熱回収型燃焼機器のドレン水配管接続に関する。
【背景技術】
【０００２】
家庭用給湯器の設置形態は、建物の屋外壁面に設置するタイプや地面に据置きするタイプが一般的である。また、近年、地球温暖化防止や省エネルギーの観点から熱効率のよい潜熱回収型の燃焼機器を使用した給湯器が要求され、さらに、利便性から追焚き機能付のものが多く用いられる。このような壁面設置タイプの潜熱回収型の追焚き機能付給湯器は、一般に、潜熱回収型の追焚き機能付給湯器と言われている。
【０００３】
図１８に、この従来の潜熱回収型の追焚き機能付給湯器３５（以下、「給湯器」と言う。）の設置例図で、浴槽短手面から見たときの透視図を示す。給湯器３５には、各種配管が接続される。これらの配管は、給湯器に水を供給する給水配管２１と、給湯器で加熱された湯を家庭内に供給する給湯配管２２と、給湯器に燃料を供給するガス配管２３と、水加熱時に発生した酸性のドレン水を中和容器を通して給湯器外に排出するドレン水排出配管２７と、浴槽水を循環加熱するための風呂往き配管２５と風呂戻り配管２４とからなる。
【０００４】
前記風呂往き配管２５と前記風呂戻り配管２４は、浴槽２９に取付けられた循環金具３６に接続されている。前記ドレン水排出配管２７は、ドレン水を下水管に排出するための排水口３７に非接触で接続される。前記浴槽２９には前記配管類を隠すためのエプロン３１が取付けられている。エプロン３１は、配管等のメンテナンス時に取り外すため脱着自在となるのが一般的である。
【０００５】
図１９は、前記の従来の給湯器本体の正面図である。給湯器３５の下側には、前記給水配管２１に接続される給水配管接続部２と、前記給湯配管２２に接続される給湯配管接続部１７と、前記ガス配管２３に接続されるガス配管接続部１８と、前記風呂往き配管２５に接続される風呂往き配管接続部１９と、前記風呂戻り配管２４に接続される風呂戻り配管接続部２０と、前記ドレン水排出配管２７に接続されるドレン排出配管接続部３９を有している。
本体前カバー２６は脱着可能であり、器具設置時やメンテナンス時等に取り外される。前記給湯器３５の内部には、潜熱回収部で発生する酸性のドレン水を中和するための中和剤を充填した中和容器を内蔵している。
【０００６】
一方、上記の給湯器の一種で、主に集合住宅用に設置され、浴槽横に設置されるバランス式ふろ釜（以下、「ＢＦ釜」と言う。）は、浴室内に設置スペースが必要で、その分浴槽スペースが狭くなる。このため、このＢＦ釜の取替え用として、浴室壁面に開口されたＢＦ釜の給排気筒設置部にＢＦ釜の機能を全て移管し、従来ＢＦ釜が存在したスペースを空き空間とすることにより、浴槽が大きくできるといった浴室リフォーム商品が開発されている。このような風呂釜は、壁貫通型の追焚き機能付給湯器（以下、「壁貫通釜」と言う。）と言われている。
【０００７】
壁貫通釜を浴室に設置したときの従来の設置例図で、浴槽短手面からみたときの透視図を図２０に示す。壁貫通釜本体１にはその下方に設けた配管接続部から各種配管が接続される。これらの配管は、壁貫通釜に水を供給する給水配管２１と、壁貫通釜で加熱された湯を浴室内に供給する給湯配管２２と、壁貫通釜に燃料を供給するガス配管２３と、浴槽水を循環加熱するための風呂往き配管２５と風呂戻り配管２４とからなる。
【０００８】
前記風呂往き配管２５と前記風呂戻り配管２４は、浴槽２９に取付けられた循環金具３６に接続されている。前記給湯配管２２は、前記浴槽２９の上縁面に設置された水栓３８に接続される。前記浴槽２９には、脱着可能なエプロン３１が取付けられている。
【０００９】
壁貫通釜の特徴として、給水、給湯、ガス等の配管類がすべて浴室内で完結され、メンテナンス等も全て浴室内からの作業となる。また、燃焼用空気は、吸気口３３を用いて、屋外から器具本体内に吸気され、燃焼排ガスは排気口３２により屋外に排出される。
【００１０】
壁貫通釜本体の正面図を図２１に示す。壁貫通釜本体１の下側には、前記給水配管２１に接続される給水配管接続部２と、前記給湯配管２２に接続される給湯配管接続部１７と、前記ガス配管２３に接続されるガス配管接続部１８と、前記風呂往き配管２５に接続される風呂往き配管接続部１９と、前記風呂戻り配管２４に接続される風呂戻り配管接続部２０を有している。本体前カバー２６は脱着可能であり、器具設置時やメンテナンス時等に取り外される。
【００１１】
ところで、以上で述べた給湯器、壁貫通釜等の潜熱回収型の燃焼機器においては、何れも、潜熱回収用の熱交換の際に、凝縮により亜硝酸ガス成分等を含んだ強酸性のドレン水が発生する。このドレン水をそのまま排出すると金属部分が腐食したり、コンクリートが劣化することがあるため、排出する前に、中和剤を用いて中和処理等を行う必要がある。
【００１２】
この中和剤には、一般的に安価な炭酸カルシウムが用いられている。炭酸カルシウムの形状は粒状であり、長期間使用すると粉末状へと経年劣化する性質を有する。その粉末は、中和容器から流出してしまうため、定期的に炭酸カルシウムを補充しなければならない。
【００１３】
給湯器では、一般に、中和容器は本体カバーの中に内蔵されている。中和剤のメンテナンスを行う際は、炭酸カルシウムの減り具合を中和容器の外から観察することは難しいため、本体前カバーを外し、内蔵している中和容器に炭酸カルシウムの残量を確認、補充する方法がとられる。
【００１４】
一方、壁貫通釜では、設置形態の独自性から中和容器を壁貫通釜の本体に内蔵することが困難であるため、壁貫通釜の本体と中和容器は、別々に設置される。中和容器内の中和剤のメンテナンスを行う際は、浴槽エプロンを取外し、浴槽上縁面に設置された水栓の配管を外し、浴槽横に取付けられた循環金具から風呂往き配管と風呂戻り配管を外し、その後、浴槽を浴室洗い場側へ引き出す。次に、中和容器を引き出し、その中和容器内へ炭酸カルシウムを補充する。
【００１５】
このように、炭酸カルシウムの残量確認や補充作業は、給湯器の場合も含めて、一般に面倒なものとなっており、特に壁貫通釜の場合は、配管と浴槽を移動させることから困難な作業となっている。
【００１６】
そこで、給湯器に関しては、燃焼熱量と燃焼時間との積算値をもって中和剤の消費量を予測する方法（特許文献１）や、外から中和剤の減り具合が確認でき、使い捨て交換可能とした中和容器（特許文献２）が考えられている。
【００１７】
また、壁貫通釜に関しては、中和容器を浴槽に隣接する浴槽壁面に設置することにより中和剤のメンテナンスの作業性を改善したもの（特許文献３）が考えられている。
【特許文献１】特開２０００−３３７６３１号公報
【特許文献２】特開２００１−２５９６５８号公報
【特許文献３】特願２００５−２７１９１２
【発明の開示】
【発明が解決しようとする課題】
【００１８】
特許文献１に示す方法では、中和剤の寿命予測により補充時期の管理は可能となるが、補充作業自体の面倒さを解決することはできない。特に、壁貫通釜では、浴槽の移動を必要とすることから、補充作業自体の困難さが解決できなことが問題となる。
【００１９】
特許文献２に示す方法でも同様であり、使い捨て型の中和容器であっても、そのサイズ、形状、設置場所によっては、残り具合の管理や交換作業の面倒さを解決することはできない。特に、壁貫通釜では、設置スペースが限られていることから、中和容器を内蔵する燃焼機器本体の大きさに制限があるため、本体内への設置が難しい問題がある。
【００２０】
特許文献３に示す方法では、中和剤のメンテナンスを行い易い位置に中和容器を設置しようとすると、壁貫通釜本体と中和容器の距離が離れることがあり、その場合はドレン配管が長くなるためドレン水の排水勾配を確保し難い場合がある。また、図２１に示すように壁貫通釜本体の下方に他の配管と並べてドレン配管との接続部を設けた場合、中和容器の位置によっては他の配管と交差させる必要があり配管作業が困難なことがある。
【００２１】
本発明は、上記課題を解決するためになされたものであり、ドレン配管の排水勾配を確保して、中和容器を中和剤のメンテナンスがし易い位置に設置できようにすることで中和剤のメンテンスの作業性を改善することを目的とする。また、壁貫通釜本体に対して中和容器を左右何れに設置しても、ドレン配管の接続を容易にすることで配管引き回しの作業性を改善することを目的とする。
【課題を解決するための手段】
【００２２】
（１）  本発明は、壁貫通釜と、この壁貫通釜と中和容器とを接続するドレン配管と、このドレン配管によって前記壁貫通釜と接続された中和容器とを備え、前記ドレン配管の接続部が壁貫通釜の備える他の配管接続部よりも高い位置にある燃焼機器である。
（２）  本発明は、項（１）において、ドレン配管接続部が前記壁貫通釜の前面に取付けられた燃焼機器である。
（３）  本発明は、項（１）または項（２）において、壁貫通釜本体に設けられたドレン配管接続部の継手が、壁貫通釜の前面からＬ字型に突出し、かつ、回転自在とされた燃焼機器である。
（４）  本発明は、項（１）〜（３）の何れかにおいて、中和容器が浴槽に隣接する浴槽壁面に設置され、壁貫通釜からのドレン水が、浴室床面と浴槽と浴室壁とで囲まれた空間に排水される燃焼機器である。
（５）  本発明は、項（１）〜（４）の何れかに記載される燃焼機器を備えた浴室ユニットである。
【発明の効果】
【００２３】
本発明によれば、壁貫通釜において、ドレン配管の接続部を本体前カバーに配置したことにより、中和器への排水勾配を確保することができる。また、ドレン配管接続部を回転自在としたことにより、中和器の配置を壁貫通釜本体の左右どちらの位置にも設定可能となり、ドレン配管作業が容易となる。これらにより、中和器の設置の制約が解消し、中和剤のメンテナンスを行い易い位置に中和器を設置できる。
【発明を実施するための最良の形態】
【００２４】
本発明に係る燃焼機器を設置できる浴室は、ユニットタイプの浴室はもちろんのこと、床、壁をタイル等で施工し、浴槽を設置した在来工法の浴室も含まれる。特に、在来工法でＢＦ釜を使用していた浴室を壁貫通釜にリフォームを行う際に設置すれば、浴室壁面に開口されたＢＦ釜の給排気筒設置部を利用することができ、設置スペースをコンパクト化することで、その分浴槽を大きくすることができるため有効である。
【００２５】
本発明で使用する壁貫通釜は、従来技術でも述べたように、ドレン水を排出する潜熱回収型の給湯器の一種である。図２は、本発明に用いる壁貫通釜本体１の一例の正面図であり、図３は、その側面図である。図４は、この壁貫通釜本体１を在来工法の浴室に設置した浴室の設置例図であり、浴室洗い場側（浴槽長手面）からの見たときの透視図である。また、図５は、本発明に用いる壁貫通釜本体１を浴室に設置した浴室ユニットの設置例図であり、浴槽短手側から見た透視図を示す（図４の側面図）。
【００２６】
壁貫通釜本体１に接続される配管の例としては、壁貫通釜本体１に水を供給する給水配管２１と、壁貫通釜本体１で加熱された湯を浴室内に供給する給湯配管２２と、壁貫通釜本体１に燃料を供給するガス配管２３と、浴槽水を循環加熱するための風呂往き配管２５と、風呂戻り配管２４と、ドレン配管６が挙げられる。
【００２７】
ドレン配管６は、壁貫通釜本体１の前面に設けたドレン配管接続部７から中和容器８に接続されている。図４、および図５の例のように、ドレン水を中和するための中和容器８を外部に設け、ドレン配管６によって、壁貫通釜本体１と外部の中和容器８が接続され、潜熱回収の際に凝縮した強酸性のドレン水が中和容器８に導かれる。
【００２８】
なお、中和容器８のサイズは、中和剤のメンテナンス頻度を１０年以上とすることを考慮し、十分な容量を確保するため、厚みが５０ｍｍ以上、高さが２００ｍｍ以上、幅が２５０ｍｍ以上とするのが望ましい。また、ドレン配管７の中和容器８への接続は、中和剤とドレン水をより多く接触させるため、中和容器８の上端付近であるのが望ましい。
【００２９】
ＢＦ釜の給排気口の開口位置は浴室床から開口部下面まで約３００ｍｍ程度であることから、リフォームによってＢＦ釜の開口位置に設置されることが多い壁貫通釜では、図１６の比較例のように、その下方で配管接続を行うと、その接続位置は浴室床面から約２５０ｍｍに位置することになる。このとき、ドレン配管の接続をこの壁貫通釜本体１の下方の配管接続位置で行うと、（００２８）で述べたように、中和容器８の上端が浴室床面から少なくとも２００ｍｍ以上であることから、中和容器８の上端との勾配が小さくなる。このため、壁貫通釜本体１とドレン配管７との接続位置は、少なくとも壁貫通釜本体１から中和容器８に通じるドレン配管７が、下り勾配を保つことができればよく、この下り勾配を大きくするため壁貫通釜本体１のなるべく高い位置が望ましい。なお、図１６の比較例のような壁貫通釜本体１の下方にドレン配管接続部７がある場合に比べて、中和容器８へのドレン配管７の下り勾配を大きくするためには、ドレン配管接続部７が壁貫通釜の備える他の配管接続部よりも高い位置にあれば、壁貫通釜本体１の側面、前面、上方、下方の何れにドレン配管接続部７を設けてもよい。特に、中和容器８の設置位置が壁貫通釜本体１の左右何れにあっても対応がし易い点で、壁貫通釜本体１の前面に設けるのが望ましい。
これにより、図４に示すように、壁貫通釜本体１から中和容器８へのドレン配管の勾配を確保することができ、ドレン水の処理を円滑に行うことができる。また、壁貫通釜本体１の給水、給湯、ガス、風呂往き、風呂戻り配管とクロス配管することなく容易に配管接続可能である。
【００３０】
壁貫通釜本体１とドレン配管６との接続位置を壁貫通釜本体１の前面に設けた場合は、さらにドレン配管６の壁貫通釜本体１との継手が、壁貫通釜本体１の前面からＬ字型に突出し、かつ、回転自在とされるのが望ましい。これにより、中和容器８を壁貫通釜本体１の右側に配置した場合（図４）、および左側に配置した場合（図１２）の何れの場合でも、容易に設置対応が可能である。
なお、ドレン配管６と壁貫通釜本体１との継手としては、Ｌ字型でその一方がドレン配管６、もう一方が壁貫通釜本体１に接続し、壁貫通釜本体１との接続部が回転可能であり、ドレン水の漏れがなく、かつ壁貫通釜本体１から継手の接続部が抜け難い構成のものであれば使用可能である。
このような継手としては、例えば、図６および図７に示すようなクイックファスナー方式、図８および図９に示すようなネジ止め式、図１０および図１１に示すようなクリップピン方式等が使用できる。クイックファスナー方式は、着脱が容易であり、配管作業の手間が省けるメリットがあり、ネジ止め方式やクリップピン方式は、構造が簡易で安価にできるメリットがある。これらはそれぞれのメリットによって使い分けることができる。
【００３１】
中和容器８を浴槽２９の長手面と対向する浴室壁２８に設置した場合（図５、図１２）は、エプロン３１と浴槽２９の上縁面に設置された水栓（図示しない）の配管を外し、浴槽２９を引き出すことで中和容器８が露出し、中和剤のメンテナンスを行うことができる。このため、従来行っていた、各種配管類を全て取り外す等の手間が省かれ、中和剤のメンテナンスの作業性が改善する。
【００３２】
なお、壁貫通釜本体１を設置した浴室壁２８と直行する浴室壁２８に、中和容器８を設置した場合（図１４）は、エプロン３１を外すだけで中和剤のメンテナンスを行うことができ、利便性がさらに増す。
【００３３】
前記風呂往き配管２５と前記風呂戻り配管２４は、浴槽２９に取付けられた循環金具（図示しない）に接続されている。前記給湯配管２２は、前記浴槽２９の上縁面に設置された水栓（図示しない）に接続される。前記浴槽２９には、脱着可能なエプロン３１を取付けるのが好ましい。これにより、中和剤の交換等のメンテナンスの作業性が改善する。
【００３４】
図５、図１２、図１５は、浴室を浴槽短手方向から見たときの透視図である。壁貫通釜本体１の下方から、給水配管２１と、給湯配管２２と、ガス配管２３と、風呂往き配管２５と、風呂戻り配管２４を接続し（図示しない）、かつ壁貫通釜本体１の前面からドレン配管６を接続する。本体前カバー２６、エプロン３１は脱着可能とするのが好ましい。これにより、器具設置時やメンテナンス時等に取り外すことができ、作業性が改善する。
【００３５】
給水、給湯、ガス等の配管類がすべて浴室内で完結され、メンテナンス等も全て浴室内からの作業となる。また、燃焼用空気は屋外から吸気口３３から器具本体内に吸気され、燃焼排ガスは排気口３２により屋外で排出される。
【００３６】
壁貫通釜本体１の中で燃焼排ガスの潜熱回収の際の凝縮によって生じたドレン水は、燃焼排ガスの亜硝酸ガス成分等を吸収して強酸性となっているが、壁貫通釜内に設けられたドレン受けに集められ、ドレン配管６を通って中和容器８へと流下し、そこで中和処理された後、ドレン水排出配管２７を通って排出される。このため、中和容器８の配置は、壁貫通釜本体１の下方に設けられ、かつ中和されたドレン水排出配管２７の末端は下向きに開放されていることが好ましい。これにより、ドレン水の中和容器８への導入とドレン水排出配管２７を通したドレン水の排出が容易となる。
【００３７】
ドレン水排出配管２７は、一方が中和容器８に接続され、もう一方が浴室床面３０に向けて開放されている。これにより、浴室床面３０に中和剤によって中和されたドレン水を排出する。
【００３８】
さらに、この中和容器８に接続されていない方のドレン水排出配管２７の末端は、浴室床面３０と、浴槽２９と、浴室壁２８とで囲まれた空間に開放されている。これにより、中和されたドレン水は給湯排水や入浴に使用した石鹸を含むお湯と同一の排水経路で排出することができ、中和されたドレン水のための配管をわざわざ設ける必要がない。また、万が一、中和容器８内の中和剤が経年劣化し、ドレン水の中和が不十分であったとしても、給湯排水で希釈され、石鹸水で中和されるので、そのまま排出されてしまうことを防止できる。
【００３９】
本発明の浴室床面３０は、その上面に浴槽を載置したり、使用者の洗い場となるものであり、その材質は特に限定されるものではなく、タイル、コンクリート、木材等の在来工法で使用されるものを用いることができる。また、浴室ユニット用の防水パンを使用してもよく、その場合もその材質は限定されるものではなく、ＳＭＣ、ＢＭＣ等を用いた繊維強化プラスチック、鉄、アルミ、ステンレス等の金属、又は、これらの複合成形品を用いることができる。
また、浴室床面３０の構造も特に限定しないが、給湯排水、入浴に使用した石鹸水、及びドレン水排出配管２７から排出される中和されたドレン水が同一箇所に集まって、混合されるような傾斜構造、及び同一の排出口を有していることが好ましい。これにより、給湯排水、石鹸水による中和されたドレン水の希釈、中和が確実に行なわれる。
【００４０】
本発明に用いる浴槽２９は、浴室床面３０の上面に載置した際に、浴槽２９の外側（但し、上縁面部分を含まず）と浴室壁２８との間に、壁貫通釜本体１の前面に設置したドレン配管７や壁貫通釜本体１の下方に接続した各配管が接触しない程度の隙間ができるものであることが望ましい。これにより、本体前カバー２６、中和容器８、及び各種の配管類（給水配管２１、給湯配管２２、ガス配管２３、風呂往き配管２５、風呂戻り配管２４、ドレン配管６）を、その空間に収納することができる。また、浴槽２９の材質は特に限定されるものではなく、ＳＭＣ、ＢＭＣ等を用いた繊維強化プラスチック、鉄、アルミ、ステンレス等の金属、又は、これらの複合成形品を用いることができる。
【００４１】
さらに、中和容器８の容量は、特に限定はないが、内部に約２ｋｇの粒状炭酸カルシウムを封入できる容積とするのが好ましい。これにより、中和剤の寿命を十分に長くすることができ、中和剤の点検、補充のためのメンテンスの頻度を減らすことができる。
また、中和容器８の材質は耐食性に優れたものでなければならないため、耐食性に強い金属またはプラスチックが用いられる。加工性や組立性を考慮すると、プラスチックが好適に用いられる。また、中和容器の上部には炭酸カルシウムを容器内へ入れるための蓋が設けられている。その蓋は開閉可能な形状であることがメンテナンスの作業性の点から好ましい。
【００４２】
壁貫通釜本体１、その本体前カバー２６、壁貫通釜本体１に接続される各種配管（給水配管２１、給湯配管２２、ガス配管２３、風呂往き配管２５、風呂戻り配管２４、ドレン配管６）、中和容器８、ドレン水排出配管２７の取り付け位置は、浴槽２９と浴室壁２８の隙間の浴室壁２８に取付けられているのが好ましい。これにより、中和容器８内の中和剤を確認、補充する際は、エプロン３１と浴槽２９の上縁面に設置された水栓の配管を外し、浴槽２９を引出すだけで、中和容器８が露出する。このため、本発明によれば、従来必要になっていた、各種配管を全て取り外し、本体前カバー２６を開け、中和容器８を引き出すという作業が不要になる。このため、中和剤の劣化の有無の確認や、必要な場合の中和剤の交換、補給等のメンテナンスが、従来に比べて格段に容易になる。
【００４３】
また、図１４、および、図１５に示すように、壁貫通釜本体１を設置した浴室壁と直行する浴室壁２８に、中和容器８を設置した場合は、中和容器８内の炭酸カルシウムの残量の確認と補充作業を、エプロン３１を外すのみで行うことができ、さらに中和剤のメンテナンスの作業性を改善することができる。
【実施例１】
【００４４】
図２は、本発明の実施例１に用いる壁貫通釜本体１の正面図を、図３は、その側面図を示す。壁貫通釜本体１の下方の配管接続部は左側から給水配管接続部２、給湯配管接続部１７、ガス配管接続部１８、風呂往き配管接続部１９、風呂戻り配管接続部２０である。また、壁貫通釜本体１の前面にはドレン配管接続部７を設けている。これにより、ドレン配管接続部７を、中和容器８に対して高い位置に設けることができ、ドレン水を自然流下させるための勾配を確保することができる。
【００４５】
図６は、本発明の実施例１のドレン配管接続部に用いるクイックファスナー方式の継手の正面図を、図７は、その断面図を示す。ドレン配管接続部７に用いる継手は、壁貫通釜本体１の前面から、Ｌ字状に突出し、かつ、回転自在とされている。
【００４６】
図４は、本発明の実施例１である壁貫通釜本体１を在来工法の浴室に設置した浴室の設置例図であり、浴室洗い場側（浴槽長手面）からの見たときの透視図である。壁貫通釜本体１には各種配管が接続されている。これらの配管は、壁貫通釜に水を供給する給水配管２１と、壁貫通釜で加熱された湯を浴室内に供給する給湯配管２２と、壁貫通釜に燃料を供給するガス配管２３と、浴槽水を循環加熱するための風呂往き配管２５と風呂戻り配管２４と、壁貫通釜の前面から接続されるドレン配管６とからなる。
【００４７】
前記風呂往き配管２５と前記風呂戻り配管２４は、浴槽２９に取付けられた循環金具（図示しない）に接続されている。前記給湯配管２２は、前記浴槽２９の上縁面に設置された水栓（図示しない）に接続される。前記浴槽２９には、脱着可能なエプロン３１が取付けられている。
【００４８】
給水、給湯、ガス等の配管類がすべて浴室内で完結され、メンテナンス等も全て浴室内からの作業となる。また、燃焼用空気は屋外から吸気口３３から器具本体内に吸気され、燃焼排ガスは排気口３２により屋外で排出される。
【００４９】
また、図５は、本発明の実施例１である壁貫通釜本体１を在来工法の浴室に設置した浴室の設置例図であり、浴槽短手側から見た透視図を示す（図４の側面図）。壁貫通釜本体１の下側には、給水配管２１と、給湯配管２２と、ガス配管２３と、風呂往き配管２５と、風呂戻り配管２４とを有している。また、壁貫通釜本体１の前面には、ドレン配管６を有している。本体前カバー２６、エプロン３１は脱着可能となっている。これにより、器具設置時やメンテナンス時等に取り外すことができるため、作業性が改善する。
【００５０】
壁貫通釜本体１の中で燃焼排ガスの潜熱回収の際の凝縮によって生じた強酸性のドレン水は、壁貫通釜内に設けられたドレン受けに集められ、中和容器８へと流下し、そこで中和処理された後、ドレン水排出配管２７を通って排出される。中和容器８は、壁貫通釜本体１の下方に設けられ、かつドレン水排出配管２７の末端は下向きに開放されている。これにより、ドレン水の中和容器８への導入とドレン水排出配管２７を通した中和されたドレン水の排出が容易である。
【００５１】
さらに、この中和容器８からのドレン水排出配管２７の末端は、浴室床面３０と浴槽２９と浴室壁２８とで囲まれた空間に開放されている。これにより、中和されたドレン水は給湯排水や入浴に使用した石鹸を含むお湯と同一の排水経路で排出することができ、中和されたドレン水のための配管をわざわざ設ける必要がなくなる。また、万が一、中和容器８内の中和剤が経年劣化し、ドレン水の中和が不十分であったとしても、給湯排水で希釈され、石鹸水で中和されるので、そのまま排出されてしまうことを防止できる。
【００５２】
浴室床面３０は、タイルを用いて施工する。また、給湯排水、入浴に使用した石鹸水、及びドレン水排出配管２７から排出される中和されたドレン水が同一箇所に集まって、混合されるような傾斜構造とし、排出口を一箇所としている。これにより、給湯排水、石鹸水による中和されたドレン水の希釈、中和が確実に行なわれる。
【００５３】
浴槽２９は、浴室床面３０の上面に載置した際に、浴槽２９の外側と浴室壁２８との間に、浴槽上縁部を除いて、最も狭い箇所でも６０ｍｍ程度の隙間があり、かつ逆台形の形状のものとした。これにより、本体前カバー２６、及び中和容器８、各種の配管類（給水配管２１、給湯配管２２、ガス配管２３、風呂往き配管２５、風呂戻り配管２４、ドレン配管６）をその空間に収納できる。また、その材質は、ＳＭＣを用いた繊維強化プラスチック成形品を用いている。
【００５４】
中和容器８のサイズは、その厚みを５０ｍｍ、高さを２００ｍｍ、幅を２５０ｍｍとしている。これによって、浴室床面３０と浴槽２９と浴室壁２８との間隙に設置することができる。また、中和容器８を壁貫通釜本体１の中に内蔵しなくてもよいので、その結果、壁貫通釜本体１のサイズを拡大する必要がなく、省スペースである利点を生かすことができる。
【００５５】
中和容器８には、中和剤の寿命を十分に長くすることができるよう、内部に約２ｋｇの粒状炭酸カルシウムを封入する。これにより、メンテナンスの頻度を減らすことができる。
また、中和容器８の材質はプラスチックを用い、中和容器の上部には炭酸カルシウムを容器内へ入れるための開閉可能な蓋を設けている。これにより、メンテナンスの作業性が改善する。
【００５６】
壁貫通釜本体１、その本体前カバー２６、壁貫通釜本体１に接続される各種配管（給水配管２１、給湯配管２２、ガス配管２３、風呂往き配管２５、風呂戻り配管２４、ドレン配管６）、中和容器８、ドレン水排出配管２７は、浴室壁２８に取付けられている。これにより、中和容器８内の中和剤を確認、補充する際は、エプロン３１と浴槽２９の上縁面に設置された水栓の配管を外し、浴槽２９を引出すだけで、中和容器８が露出するようになっている。このため、従来のように各種配管を全て取り外し、本体前カバー２６を開け、中和容器８を引き出す必要がなく、中和剤の劣化の有無を確認し、必要なら中和剤を交換、補給する等のメンテナンスを行なうことが、従来に比べて格段に容易になる。
【００５７】
以下、本発明の一実施例である燃焼機器の動作を、図１を用いて説明する。
壁貫通釜本体１は給水配管接続部２から給水され、前記給水配管接続部２は給水された水の量を検出する水量センサ３に配管接続される。前記水量センサ３は潜熱回収部である二次熱交換器１０の入口に配管接続され、前記二次熱交換器１０の出口部は燃焼排ガスの顕熱を回収する給湯一次熱交換器１１の入口に配管接続される。前記給湯一次熱交換器１１の出口は二方に分岐され、一方は浴室内へ給湯する給湯配管接続部１７に配管接続され、もう一方は浴槽にお湯を張るための注湯電磁弁１４に配管接続される。前記注湯電磁弁１４の出口部は二方に分岐され、一方は浴槽水を沸かす風呂熱交換器１５に入口に配管接続され、もう一方は、風呂往き配管２５に接続される。前記風呂熱交換器１５の出口部は浴槽水を循環させるための循環ポンプ１６に接続され、前記循環ポンプ１６は風呂戻り配管接続部２０に接続される。給湯燃焼は、ガス配管接続部１８から供給される燃料ガスが給湯電磁弁１３を経由して、給湯燃焼部１２へ供給され燃焼し、高温の燃焼ガスを発生させる。その燃焼ガスは前記給湯一次熱交換器１１を通過し、さらに前記二次熱交換器１０を通過し、給湯排気口４から器具外へ排気する。このとき前記二次熱交換器１０を通過する燃焼ガスの温度は２００℃程度と低温のため、前記二次熱交換器１０には結露水が発生する。その結露水はＰＨ２程度の強酸性のため、それを回収し中和して排出しなければならない。前記二次熱交換器１０で発生した結露水は滴下し、それを回収するための受け板５にて回収し、それがドレン水となり、ドレン配管６に流入してドレン配管接続部７を介して炭酸カルシウム９を充填した中和容器８の入口部に流入する。前記中和容器８にて中和されたドレン水は中和容器８の出口部からＰＨ７程度となり排出される。
【実施例２】
【００５８】
本発明に係る燃焼機器の実施例２を、図１２、および図１３に示す。図１２は、本発明の実施例２である壁貫通釜本体１を在来工法の浴室に設置した浴室の設置例図であり、浴室洗い場側（浴槽長手面）からの見たときの透視図である。壁貫通釜本体１の左側に中和容器８を設置し、そのため、壁貫通釜本体１の前面に取り付けたドレン配管接続部７を、左側に傾かせてドレン配管６を接続した。その他の構成は、実施例１と同様である。図１３は、本発明の実施例２である壁貫通釜本体１を在来工法の浴室に設置した浴室の設置例図であり、浴槽短手側から見た透視図を示す（図１２の側面図）。
【００５９】
本実施例の場合、壁貫通釜本体１に対して中和容器８の配置が、実施例１に対して左右反対となっているが、ドレン配管接続部７に用いる継手を、壁貫通釜本体１の前面からＬ字型に突出し、かつ、回転自在に取り付けることにより、中和容器８を壁貫通釜本体１の左右何れの側に設置する場合でも、クロス配管は不要であり、容易にドレン配管接続部７の方向を変えてドレン配管６を接続することが可能となり、ドレン配管作業が容易となる。また、中和容器８の設置の制約が減少する。さらに、このことにより、中和剤のメンテナンスを行い易い位置に中和容器８を設置できる。
【実施例３】
【００６０】
本発明に係る燃焼機器の実施例３を、図１４、および図１５に示す。図１４は、壁貫通釜本体１を設置した浴室壁と直行する浴室壁２８に、中和容器８を設置した場合の設置例図であり、浴室洗い場側（浴槽長手面）からの見たときの透視図である。また、図１５は、壁貫通釜本体１を在来工法の浴室に設置した浴室の設置例図であり、浴槽短手側から見た透視図を示す（図１４の側面図）。それ以外の構成は、実施例１と同様である。
【００６１】
このように、壁貫通釜本体１を設置した浴室壁２８と直行する浴室壁２８に、中和容器８を設置した場合は、壁貫通釜本体１と中和容器８との距離が離れるが、本発明に係る燃焼機器では、このような場合でも壁貫通釜本体１と中和容器８との間の勾配を確保でき、ドレン水の中和処理を円滑に行うことができる。さらに、中和容器８内の炭酸カルシウムの残量の確認と補充作業を、エプロン３１を外すのみで行うことができ、利便性を増すことができる。このように、中和容器８の設置の制約が減少し、中和剤のメンテナンスを行い易い位置に中和容器８を設置できる。
【００６２】
（比較例）
図１６は、本発明の比較例であり、ドレン配管用接続部７を、壁貫通釜本体１の下方に設けてドレン配管６を接続した場合の設置例図であり、浴室洗い場側（浴槽長手面）からの見たときの透視図である。図１７は、浴槽短手側から見た透視図を示す（図１６の側面図）。これ以外の構成は、実施例１と同様である。このように、ドレン配管接続部７を壁貫通釜本体１の下方に設けた場合は、実施例１〜３に比べて、中和容器８との勾配が小さい。
【図面の簡単な説明】
【００６３】
【図１】本発明の実施例１である燃焼機器の動作を示すものである。
【図２】本発明の実施例１に用いる壁貫通釜本体の正面図を示す。
【図３】本発明の実施例１に用いる壁貫通釜本体の側面図を示す。
【図４】本発明の実施例１である壁貫通釜本体を浴室に設置した浴室の設置例図であり、浴室洗い側から見た透視図を示す（中和器を壁貫通釜本体の右側に設置）。
【図５】本発明の実施例１である壁貫通釜本体を浴室に設置した浴室の設置例図であり、浴槽短手側から見た透視図を示す（図４の側面図）。
【図６】本発明の実施例１のドレン配管接続部に用いるクイックファスナー方式の継手の正面図を示す。
【図７】本発明の実施例１のドレン配管接続部に用いるクイックファスナー方式の継手の断面図を示す。
【図８】本発明のドレン配管接続部に用いるネジ止方式の継手の正面図を示す。
【図９】本発明のドレン配管接続部に用いるネジ止方式の継手の断面図を示す。
【図１０】本発明のドレン配管接続部に用いるクリップピン方式の継手の正面図を示す。
【図１１】本発明のドレン配管接続部に用いるクリップピン方式の継手の断面図を示す。
【図１２】本発明の実施例２である壁貫通釜本体を浴室に設置した浴室の設置例図であり、浴室洗い側から見た透視図を示す（中和器を壁貫通釜本体の左側に設置）。
【図１３】本発明の実施例２である壁貫通釜本体を浴室に設置した浴室の設置例図であり、浴槽短手側から見た透視図を示す（図１２の側面図）。
【図１４】本発明の実施例３である壁貫通釜本体を浴室に設置した浴室の設置例図であり、浴室洗い側から見た透視図を示す（中和器を壁貫通釜を設置した浴室壁と直交する浴室壁面に設置）。
【図１５】本発明の実施例３である壁貫通釜本体を浴室に設置した浴室の設置例図であり、浴槽短手側から見た透視図を示す（図１４の側面図）。
【図１６】比較例である壁貫通釜本体を浴室に設置した浴室の設置例図であり、浴室洗い側から見た透視図を示す（ドレン配管接続部を壁貫通釜本体の下方に設置）。
【図１７】比較例である壁貫通釜本体を浴室に設置した浴室の従来の設置例図であり、浴槽短手側から見た透視図を示す（図１６の側面図）。
【図１８】従来例である給湯器を浴室に設置した浴室の設置例図であり、浴槽短手側から見た透視図を示す。
【図１９】従来例である給湯器の正面図である。
【図２０】従来例である壁貫通釜を浴室に設置した浴室の設置例図であり、浴槽短手側から見た透視図を示す。
【図２１】従来例である壁貫通釜本体の正面図である。
【符号の説明】
【００６４】
１…壁貫通釜本体、２．給水配管接続部、３…水量センサ、４…給湯排気口、５…受け板、６…ドレン配管、７…ドレン配管接続部、８…中和容器、９…炭酸カルシウム、１０…二次熱交換器、１１…一次熱交換器、１２…給湯燃焼部、１３…給湯電磁弁、１４…注湯電磁弁、１５…風呂熱交換器、１６…循環ポンプ、１７…給湯配管接続部、１８…ガス配管接続部、１９…風呂往き配管接続部、２０…風呂戻り配管接続部、２１…給水配管、２２…給湯配管、２３…ガス配管、２４…風呂戻り配管、２５…風呂往き配管、２６…本体前カバー、２７…ドレン水排出配管、２８…浴室壁、２９…浴槽、３０…浴室床面、３１…エプロン、３２…排気口、３３…吸気口、３４…配管接続位置、３５…給湯器、３６…循環金具、３７…排水口、３８…水栓、３９…ドレン排出配管接続部
【図１】
2007170692.tif 000003
【図２】
2007170692.tif 000004
【図３】
2007170692.tif 000005
【図４】
2007170692.tif 000006
【図５】
2007170692.tif 000007
【図６】
2007170692.tif 000008
【図７】
2007170692.tif 000009
【図８】
2007170692.tif 000010
【図９】
2007170692.tif 000011
【図１０】
2007170692.tif 000012
【図１１】
2007170692.tif 000013
【図１２】
2007170692.tif 000014
【図１３】
2007170692.tif 000015
【図１４】
2007170692.tif 000016
【図１５】
2007170692.tif 000017
【図１６】
2007170692.tif 000018
【図１７】
2007170692.tif 000019
【図１８】
2007170692.tif 000020
【図１９】
2007170692.tif 000021
【図２０】
2007170692.tif 000022
【図２１】
2007170692.tif 000023